(57)【要約】【課題】従来の有軸スクリューコンベアに替わり、無軸スクリュー羽根によって紛体の垂直搬送を行える竪型無軸スクリューコンベア装置を提供する。【解決手段】紛体を上方へ搬送するための竪型無軸スクリューコンベア装置１であって、無軸スクリュー羽根１２と前記無軸スクリュー羽根をその内部に収納し、前記無軸スクリュー羽根の外形とその内壁面との間隔が２ｍｍ〜３０ｍｍである、断面円形状のケーシング１４と、前記ケーシングの下部に設けられる紛体投入部１６と、前記ケーシングの上部に設けられる紛体排出部１８と、前記無軸スクリュー羽根の一方端に連結され、前記無軸スクリュー羽根を回転させる駆動部２０とを備える。【選択図】図１
2015221724.tif 000002
【特許請求の範囲】
【請求項１】
平均粒径が５０μｍ以下である紛体を上方へ搬送するための竪型無軸スクリューコンベア装置であって、
無軸スクリュー羽根と、
前記無軸スクリュー羽根をその内部に収納し、前記無軸スクリュー羽根の外径とその内壁面との間隔（ｄ）が２ｍｍ〜１０ｍｍである、断面円形状のケーシングと、
前記ケーシングの下部に設けられる紛体投入部と、
前記ケーシングの上部に設けられる紛体排出部と、
前記無軸スクリュー羽根の一方端に連結され、前記無軸スクリュー羽根を回転させる駆動部と、を備える竪型無軸スクリューコンベア装置。
【請求項２】
被搬送物を上方へ搬送するための竪型無軸スクリューコンベア装置であって、
無軸スクリュー羽根と、
前記無軸スクリュー羽根をその内部に収納し、前記無軸スクリュー羽根の外径とその内壁面との間隔（ｄ）が３ｍｍ〜１０ｍｍである、断面円形状のケーシングと、
前記ケーシングの下部に設けられる紛体投入部と、
前記ケーシングの上部に設けられる紛体排出部と、
前記無軸スクリュー羽根の一方端に連結され、前記無軸スクリュー羽根を回転させる駆動部と、を備える竪型無軸スクリューコンベア装置。
【請求項３】
無軸スクリュー羽根の外径と前記無軸スクリュー羽根のピッチとの関係は、外径１に対しピッチ１／３〜２／３である、請求項１または２に記載の竪型無軸スクリューコンベア装置。
【請求項４】
前記無軸スクリュー羽根の外径とその内壁面との間隔（ｄ）が５ｍｍ±２ｍｍである、請求項１または２に記載の竪型無軸スクリューコンベア装置。
【請求項５】
前記無軸スクリュー羽根の外径とその内壁面との間隔（ｄ）が５ｍｍ±１ｍｍである、請求項１に記載の竪型無軸スクリューコンベア装置。
【請求項６】
前記駆動部は、前記無軸スクリュー羽根を回転数５〜１５ｒｐｍで回転する、請求項１に記載の竪型無軸スクリューコンベア装置。
【請求項７】
前記駆動部は、前記無軸スクリュー羽根を回転数１３〜１７ｒｐｍで回転する、請求項２に記載の竪型無軸スクリューコンベア装置。
【請求項８】
前記被搬送物は、水分を含む被搬送部または最大値外形サイズが０．５ｍｍ以上〜３ｍｍ未満の被搬送物である請求項２に記載の竪型無軸スクリューコンベア装置。
【発明の詳細な説明】
【技術分野】
【０００１】
本発明は、紛体を上方へ搬送するための竪型無軸スクリュー搬送装置に関する。
【背景技術】
【０００２】
従来から知られている垂直に立設される竪型スクリューコンベアは、いずれも中心軸の周りにスクリュー羽根がついている、有軸スクリューコンベアである（特許文献１〜５）。
【０００３】
そして、垂直に立設させた状態で無軸スクリューコンベアを使用し紛体を垂直搬送することは、知られていない。
【先行技術文献】
【特許文献】
【０００４】
【特許文献１】特開２０１０−１１１４９５
【特許文献２】特開２０１０−１８００２４
【特許文献３】特開２０００−２６４４２１
【特許文献４】特開平６−７２５２４
【特許文献５】実開平６−８０７２４
【発明の概要】
【発明が解決しようとする課題】
【０００５】
しかしながら、上記特許文献はいずれに有軸スクリューであり、モータが上部に設置され、一方、下方に軸受け（ベアリング）が必要である。しかし、長時間の使用で紛体がベアリングに入り込み摩耗する問題がある。
【０００６】
また、有軸スクリューコンベアのため、単位時間当たりの紛体搬送量（送り込み量）を上げるために、回転速度を上あげる必要があり、搬送量当たりのエネルギー消費量が高い。
【０００７】
また、有軸スクリューコンベアの場合、ケーシング内部で紛体がおしかためられることがあり、搬送途中で紛体の性状（圧縮熱で性状変形）が変わることが懸念される。
【０００８】
そこで、本発明は上記実情に鑑みてなされたものであり、従来の有軸スクリューコンベアに替わり、無軸スクリュー羽根によって紛体の垂直搬送を行える竪型無軸スクリューコンベア装置を提供することを目的とする。
【課題を解決するための手段】
【０００９】
本発明は、平均粒径が５０μｍ以下である紛体を上方へ搬送するための竪型無軸スクリューコンベア装置であって、
無軸スクリュー羽根と、
前記無軸スクリュー羽根をその内部に収納し、前記無軸スクリュー羽根の外径とその内壁面との間隔（ｄ）が２ｍｍ〜１０ｍｍである、断面円形状のケーシングと、
前記ケーシングの下部に設けられる紛体投入部と、
前記ケーシングの上部に設けられる紛体排出部と、
前記無軸スクリュー羽根の一方端に連結され、前記無軸スクリュー羽根を回転させる駆動部と、を備える。
【００１０】
この構成によれば、駆動部をスクリュー羽根の上部に設置した場合に、有軸スクリューコンベアのように下部に軸受けを設ける必要がないので軸受けの破損の心配がない。また、駆動部を下部に設置しても密閉性が高く（密閉構造）、紛体が入り込む心配がない。また、無軸スクリューコンベアのため、単位時間あたりの紛体搬送量（送り込み量）が多く、有軸スクリューコンベアに比べて、回転速度を下げられ（例えば、１／２〜１／１０に減速でき）るため、搬送量当たりのエネルギー消費量も低くでき、省エネルギー効果が高い。また、有軸スクリューコンベアの場合に生じやすいケーシング内部での紛体のおしかたまりが、無軸スクリューコンベアでは生じないため、パウダー状態を維持して上方へ垂直搬送できる。そして、平均粒径が５０μｍ以下である紛体を好適に垂直搬送できる。
【００１１】
紛体が真球であれば粒径は直径を意味し、紛体が球状であれば粒径は最大値をとる外形サイズ（最大値外形サイズと称する場合もある）を意味し、紛体が角柱、円柱、錐形状、異形の他の形状であれば粒径は最大値をとる外形サイズを意味する。
【００１２】
紛体は、例えば、平均粒径、嵩密度、安息角、内部摩擦角、付着力、流動性、噴流性などで定義できる。紛体の平均粒径の上限値は、１００μｍ以下、５０μｍ以下、４０μｍ以下、３０μｍ以下、２５μｍ以下、２０μｍ以下、１５μｍ以下、１０μｍ以下、５μｍ以下、または１μｍ以下であって、紛体の平均粒径の下限値は０．１μｍ以上、０．４μｍ以上または０．８μｍ以上である。平均粒径が０．１μｍ以上〜５０μｍ以下の紛体を搬送でき、０．１μｍ以上〜４０μｍ以下の紛体でも搬送でき、０．１μｍ以上３０μｍ以下の紛体でも搬送できる。
【００１３】
紛体の安息角は、２５度〜６５度、３０度〜６０度が例示できる。
【００１４】
紛体としては、例えば、小麦粉（メリケン粉）、うどん粉、化粧粉、タルク、石膏粉、顔料、染料、酸化チタン、活性炭、カーボンブラック、けいそう土、消石灰、シリカゲル、コーンスターチ、炭酸カルシウム、水酸化マグネシウム、ステアリン酸カルシウム、テフロン（登録商標）、トナー、などである。
【００１５】
本発明の一実施形態において、無軸スクリュー羽根の外径（端部）とその内壁面との間隔（ｄ）が、２ｍｍ〜３０ｍｍであり、好ましくは２ｍｍ〜１０ｍｍ、より好ましくは３ｍｍ〜１０ｍｍ、さらに好ましくは３ｍｍ〜８ｍｍ、特に好ましくは３ｍｍ〜６ｍｍである。紛体の物性および／または単位時間あたりの搬送量（スクリューの回転速度）に応じて間隔（ｄ）を設定する。
【００１６】
他の本発明は、被搬送物を上方へ搬送するための竪型無軸スクリューコンベア装置であって、
無軸スクリュー羽根と、
前記無軸スクリュー羽根をその内部に収納し、前記無軸スクリュー羽根の外径とその内壁面との間隔（ｄ）が３ｍｍ〜１０ｍｍである、断面円形状のケーシングと、
前記ケーシングの下部に設けられる紛体投入部と、
前記ケーシングの上部に設けられる紛体排出部と、
前記無軸スクリュー羽根の一方端に連結され、前記無軸スクリュー羽根を回転させる駆動部と、を備える。
【００１７】
この構成によれば、被搬送物を好適に垂直搬送できる。被搬送物としては、例えば、最大値外形サイズが３ｍｍ未満の物質、泥（粒径１／１６ｍｍ以下）、粘土（粒径が１／２５６ｍｍ以下）、シルト（砂より小さく年度よりも粗い砕屑物：粒径が１／１６ｍｍ〜１／２５６ｍｍ）、砂（粒径が２ｍｍ〜１／１６ｍｍ）の１種またはそれら２種以上の混合物である。また、それら被搬送物の内の１種が主成分（全成分内で最も重い成分であって、全重量中２０重量％以上である）である混合物である。
【００１８】
また、被搬送物が水分を含む場合は、被搬送物の体積含水率が例えば、１％〜９９％、１０〜９０％、２０〜８０％、３０〜７０％の範囲が挙げられ、飽和体積含水率（粘土の場合６０％以上、砂は４０％程度）の水分を含む被搬送物が例示される。水分を含む被搬送物であっても好適に垂直搬送できる。
【００１９】
また、被搬送物が、最大値外形サイズ０．５ｍｍ以上３ｍｍ未満の場合として例えば、再生物（例えばＰＥＴ製品、ナイロン製品）を粉砕手段（あるいは切断手段）で所定サイズになるように構成した粉砕物（切断物）が挙げられる。粉砕物（切断物）は液体で濡れている状態であってもよく、被搬送物は粉砕物を主成分として他に液体および／または固体が混合された構成でもよい。最大値外形サイズは、被搬送物の最大値の直線距離である。例えば、直方体であれば、その内部を通って斜めに対向する２角間距離である。
【００２０】
本発明の一実施形態において、無軸スクリュー羽根の外径とケーシングとの内壁面の間隔（ｄ）（外径から内壁面までの最短距離）が５ｍｍ±２ｍｍである。図１の側面視に示す左右それぞれの間隔（ｄ）は、（５〜７）ｍｍ±２ｍｍであることが好ましく、（５〜６）ｍｍ±２ｍｍであることがより好ましく、５ｍｍ±２ｍｍあることがさらに好ましい。平均粒径５０μｍ以下の紛体を搬送する場合は、間隔（ｄ）が５ｍｍ±１ｍｍであることが好ましい。
【００２１】
本発明の一実施形態として、前記無軸スクリュー羽根の外径（ｒ１）が、８０ｍｍ〜６００ｍｍであり、前記無軸スクリュー羽根のピッチ（ｐ）が、２７ｍｍ〜４８０ｍｍである。また、前記無軸スクリュー羽根の外径が、６００ｍｍ〜８００ｍｍであり、前記無軸スクリュー羽根のピッチが、２００ｍｍ〜５３３ｍｍである。
【００２２】
本発明の一実施形態として、前記無軸スクリュー羽根の内径（ｒ２）が、３０ｍｍから５００ｍｍの範囲である。実施形態としては、内径（ｒ２）と羽根幅（ｗ）との和が外径（ｒ１）である。または（ｒ２＋ｗ≒ｒ１）であり、ここでｗが径方向から垂直に伸びておらず傾斜している場合にはｒ１の方が小さい。別実施形態として、内径（ｒ２）と羽根幅（ｗ）の２倍との和が外径（ｒ１）である。または（ｒ２＋ｗ×２≒ｒ１）であり、ここでｗが径方向から垂直に伸びておらず傾斜している場合にはｒ１の方が小さい。
【００２３】
この構成によれば、上記外径（ｒ１）８０ｍｍ以上の無軸スクリュー羽根であっても垂直搬送できる。
【００２４】
本発明の一実施形態において、無軸スクリュー羽根の外径（ｒ１）と前記無軸スクリュー羽根のピッチ（ｐ）との関係は、外径１に対しピッチ１／３〜２／３であり、外径１に対しピッチ１／２〜２／３がより好ましい。
【００２５】
本発明の一実施形態において、無軸スクリュー羽根の外径（ｒ１）が８０ｍｍ以上〜１６０ｍｍ未満の場合に外径：ピッチの比が２／３〜１、外径が１６０ｍｍ以上〜３２０ｍｍ未満の場合に外径：ピッチの比が１：１／２〜２／３、外径が３２０ｍｍ以上〜６００ｍｍ未満の場合に外径：ピッチの比が０．５〜０．６が好ましい。
【００２６】
本発明の一実施形態において、羽根は断面矩形であり、羽根の厚み（ｔ）は例えば、１０ｍｍ〜３５ｍｍの範囲であり、羽根幅（ｗ）は例えば、３０ｍｍ〜８０ｍｍの範囲である。スクリュー羽根の外径（ｒ１）が大きくなるほど羽根幅（ｗ）、羽根厚み（ｔ）も大きい値に設定する。紛体、水分含有被搬送物、最大値外形サイズが３ｍｍ未満の物質の物性および／または単位時間あたりの搬送量（スクリューの回転速度）に応じて、スクリュー羽根外径およびピッチを設定する。
【００２７】
本発明の一実施形態において、平均粒径が５０μｍ以下である紛体を搬送する場合、前記駆動部は、前記無軸スクリュー羽根を回転数５〜１７ｒｐｍで回転することが好ましく、８〜１２ｒｐｍがより好ましい。回転数が小さいほど単位時間当たり搬送量が小さく、滞留時間が長い、回転数が高いと搬送初期のケーシング上部に搬送物が達していない時にスクリュー羽根が横ブレしてケーシング内面と接触する。上記回転数の範囲内で無軸スクリュー羽根の外径（８０ｍｍ〜６００ｍｍ）が大きい程回転数を小さくし、外径が小さい程回転数を大きくすることが好ましい。周速を調整することで紛体が摩擦熱に反応して固まることを防止できる。駆動部は、モータ、変速ギア、連結手段、制御装置、電源などで構成される。
【００２８】
本発明の一実施形態において、無軸スクリュー羽根の外径の誤差（公差）は±５ｍｍ以内が好ましく、±４ｍｍ以内がさらに好ましい、±３ｍｍ以内がさらに好ましい。間隔（ｄ）の２倍よりも外径の誤差は小さいことが好ましい。ケーシングの長手方向の直線誤差（公差）、内径の誤差（公差）は、±３ｍｍ以内が好ましく、±２ｍｍ以内がより好ましく、±１ｍｍ以内がさらに好ましい。無軸スクリュー羽根の外径の誤差およびケーシングの直線誤差、内径誤差があっても、実質的に間隔（ｄ）の範囲は維持されるように構成される。
【００２９】
本発明の一実施形態において、最大値外形サイズが３ｍｍ未満の物質、水分を含む被搬送物あるいは最大値外形サイズ０．５ｍｍ〜３ｍｍ未満の被搬送物の場合、前記ケーシングが断面円状であり、前記駆動部は、前記無軸スクリュー羽根を回転数１３〜１７ｒｐｍで回転することが好ましい。ケーシングが断面正八角形の場合は、無軸スクリュー羽根の外径とケーシングの内壁面との間隔（断面視で正八角形の辺から垂直にスクリュー外径端まで引いたライン）が５ｍｍ±１ｍｍとし、無軸スクリュー羽根の回転数が８〜１２ｒｐｍで回転する構成であり、この構成よりも回転数を向上できる。
【００３０】
本発明のスクリュー羽根の原材料となる鋼材としては、例えば、一般構造用圧延鋼材（ＳＳ３３０、ＳＳ４００、ＳＳ４９０、ＳＳ５４０など）、冷間圧延鋼板（ＳＰＣＣ、ＳＰＣＤ、ＳＰＣＥ、ＳＰＣＦ、ＳＰＣＧなど）、炭素鋼鋼材（Ｓ２５Ｃ、Ｓ３０Ｃ、Ｓ３５Ｃ、Ｓ４５Ｃ、Ｓ５０Ｃ、Ｓ５５Ｃなど）、熱間または冷間圧延ステンレス鋼板（ＳＵＳ３０４，ＳＵＳ３１６，ＳＵＳ４３０，ＳＵＳ４１０など）、耐摩耗鋼板（スエーデンスチール社のハードックス（ＨＡＲＤＯＸ（登録商標））、ＪＦＥスチール社のエバーハード（ＥＶＥＲＨＡＲＤ（登録商標））など）、高張力鋼板（ＳＭ５７０、ＳＭＡ５７０Ｗなど）、ＴＭＣＰ型高張力鋼板（ＳＭ５７０ＴＭＣ、ＳＭＡ５７０ＷＴＭＣなど）が挙げられる。
【００３１】
本発明のスクリュー羽根の原材料となる鋼材としては、一般構造用圧延鋼材（ＳＳ４００）よりも高強度（高引張強度）の鋼材が好ましい。耐摩耗性、耐久性の観点で好ましい。ＳＳ４００の場合、長時間使用（例えば６ケ月、７時間／日）でスクリュー羽根の全長が初期値と比較して１０％〜１５％程度縮むが、ＳＳ４００よりも高強度（高引張強度）のステンレス鋼板、耐摩耗鋼板（スエーデンスチール社のハードックス（ＨＡＲＤＯＸ（登録商標））、ＪＦＥスチール社のエバーハード（ＥＶＥＲＨＡＲＤ（登録商標））などは、縮みの程度が極めて小さい。
【００３２】
本発明の一実施形態として、前記紛体投入部は、紛体が前記無軸スクリュー羽根の１枚目に送り込まれるように配置される。
【００３３】
本発明の一実施形態として、竪型無軸スクリューコンベア装置は、前記紛体投入部に連結される自重送り込み式の紛体投入用タンクを備える。タンクから投入部までに送り込み用のスクリューを用いずに自重で紛体を投入できる。
【００３４】
本発明の一実施形態として、前記無軸スクリュー羽根の全長（Ｌ）が、２ｍ以上であり、例えば、２ｍ〜２０ｍ、２ｍ〜１０ｍ、２ｍ〜８ｍの範囲が例示される。垂直搬送距離が高くなるほど紛体搬送、水分含有の被搬送物、最大値外形サイズ０．５ｍｍ〜３ｍｍ未満の粉砕物の搬送が難しくなるが、本願発明では問題なく上方に搬送できる。
【００３５】
本発明の一実施形態として、前記ケーシングの下部に開放部を設ける。搬送の最後ではケーシングに紛体が残る（例えば、ケーシング高さの１／５〜１／３程度）が、開放部の蓋を開けることで、ケーシング内の残りの紛体を排出できる。
【００３６】
本発明の一実施形態として、ケーシングの下部の投入部と上部の排出部とをそれぞれ蓋部材で密閉構造にすることで、ケーシング内部に残った紛体を保管することができる。搬送を中断しているときに、紛体が吸湿しないように保管できる。密閉構造にすることで、汚泥などの臭いの拡散を防止できる。
【図面の簡単な説明】
【００３７】
【図１】竪型無軸スクリューコンベア装置の概略図である。
【発明を実施するための形態】
【００３８】
（実施形態１）
図面を参照しながら本実施形態の竪型無軸スクリューコンベア装置を説明する。図１の竪型無軸スクリューコンベア装置１は、無軸スクリュー羽根１２と、前記無軸スクリュー羽根１２をその内部に収納し、前記無軸スクリュー羽根１２の外径（外径端部）とその内壁面との間隔（断面視で円の接線から垂直に外径端部へ引いた直線ライン：ｄ）が５ｍｍである断面円形状のケーシング１４と、前記ケーシング１４の下部に設けられる紛体投入部１６と、前記ケーシング１４の上部に設けられる紛体排出部１８と、前記無軸スクリュー羽根１２の下端（フランジ）に連結され、無軸スクリュー羽根１２を回転させる駆動部２０とを備える。駆動部２０は、上記フランジと連結された駆動軸２１と、駆動軸２１と連結された電動機付減速機２２とを有する。駆動軸２１は、シールユニット（不図示）を間に設置してケーシング１４を貫通し、駆動軸２１とケーシングとの密閉性を高めている。
【００３９】
本実施形態１では、平均粒径が５０μｍ以下である紛体を垂直搬送する場合は、無軸スクリュー羽根を回転数８〜１２ｒｐｍで回転する。
【００４０】
また、最大値外形サイズが３ｍｍ未満の物質、水分を含む被搬送物あるいは最大値外形サイズ０．５ｍｍ〜３ｍｍ未満の被搬送物の場合、無軸スクリュー羽根を回転数１３〜１７ｒｐｍで回転する。
【００４１】
本実施形態１では、無軸スクリュー羽根１２の全長（Ｌ）が８ｍである。また、無軸スクリュー羽根１２の外径（ｒ１）が２７７ｍｍ、内径（ｒ２）が６７ｍｍである。また、無軸スクリュー羽根１２のピッチ（ｐ）が１８４ｍｍである。羽根幅（ｗ）が６５ｍｍ、羽根厚み（ｔ）が２０ｍｍである。図１のスクリュー羽根は外径および内径の異なる２つのスクリュー羽根を径方向につなげたダブル羽根である。径方向外側のスクリュー羽根の内径が径方向内側のスクリュー羽根の外径と一致（略一致）しており、お互いを溶接で結合する。
【００４２】
本実施形態１では、紛体投入部１６に自重送り込み式の紛体投入用タンク３０が連結され、このタンク３０から紛体投入部１６へ向かって、自重で紛体が送り込まれ、紛体が無軸スクリュー羽根１２の１枚目に送り込まれる。紛体投入部１６は、斜め上方から傾斜した管がケーシング１４の側壁開口部に連通する構造である。また、ケーシング１４の下部に開放部４０が設けられ、開放部４０の蓋（不図示）を開けることで、例えば、搬送終了時の残紛体を排出するために機能する。
【００４３】
（別実施形態）
別実施形態として、無軸スクリュー羽根１２の外径とその内壁面との間隔（ｄ）が２ｍｍ〜３０ｍｍでもよい。また、無軸スクリュー羽根１２の全長（Ｌ）が２ｍ以上である。無軸スクリュー羽根１２の外径（ｒ１）が８０ｍｍ〜６００ｍｍでもよい。無軸スクリュー羽根１２のピッチ（ｐ）が２７ｍｍ〜４８０ｍｍでもよい。また、無軸スクリュー羽根の外径（ｒ１）が、６００ｍｍ〜８００ｍｍであり、無軸スクリュー羽根のピッチ（ｐ）が、２００ｍｍ〜５３３ｍｍである。また、無軸スクリュー羽根の外径（ｒ１）と無軸スクリュー羽根のピッチ（ｐ）との関係は、外径１に対しピッチ１／３〜２／３でもよい。
【００４４】
また、紛体排出部１８は、ケーシング１４の上部側壁から突出させる構造に限定されず、ケーシング１４の上端部に形成した開口部が紛体排出部の機能を兼ねてもよい。
【００４５】
＜実施例＞
実施形態１の竪型無軸スクリューコンベア装置１を用いて、紛体（小麦粉（平均粒径１６μｍ、安息角５６度）、コーンスターチ（平均粒径１６μｍ、安息角５１度）、タルク（平均粒径４μｍ、安息角４７度）、澱粉（平均粒径１０〜５０μｍ、安息角４５度）、石膏粉、酸化チタン（平均粒径１μｍ未満、安息角４５度））、粘土（体積水分率６０％）、汚泥（体積水分率８０％）を垂直搬送できたことを確かめた。
【００４６】
表１は、外径（ｒ１）、内径（ｒ２）、ピッチ（ｐ）、間隔（ｄ）を変えて各種被搬送物を垂直搬送した結果を示す。表１において、紛体は平均粒径５０μｍ以下の小麦粉、コーンスターチ、タルク、澱粉、酸化チタンであり、水分含有の被搬送物は粘土、汚泥であり、最大値外形サイズ２ｍｍのＰＥＴボトルの粉砕物についても確認した。実施例１〜８の条件において、上記各種紛体、粘土、汚泥、ＰＥＴボトルの粉砕物を垂直搬送できたことを確認した。紛体搬送のときの回転数として、７、８、９、１０、１１、１２ｒｐｍ（１３ｒｐｍ未満）で確認し、それ以外のときの回転数は、１２、１３、１４、１５、１６、１７ｒｐｍ（１８ｒｐｍ未満）で確認した。内径（ｒ２）のシングルはシングル羽根と意味し、ダブルはダブル羽根（シングル羽根を径方向でつなげたスクリュー羽根）を意味している。実施例２では、２種類の内径で確認をした。
【表１】
2015221724.tif 000003
【００４７】
比較例として、紛体搬送の場合において、回転数を７ｒｐｍ未満では単位時間当たりの搬送量が少なく、１３ｒｐｍを以上の場合は、搬送初期における羽根の横ブレによるケーシング内面への接触や、回転数を高くすると羽根への負荷が大きくなり長時間使用で劣る。水分含有の被搬送物および最大値外形サイズ２ｍｍのＰＥＴボトルの粉砕物の搬送の場合において、回転数を１２ｒｐｍ未満では単位時間当たりの搬送量が少なく、１８ｒｐｍ以上の場合、搬送初期における羽根の横ブレによるケーシング内面への接触や、回転数を高くすると羽根への負荷が大きくなり長時間使用で劣る。
【００４８】
別実施例として、間隔ｄを７ｍｍ、８ｍｍにして確認をしたところ、垂直搬送できたことを確認した。
【符号の説明】
【００４９】
１          竪型無軸スクリューコンベア装置
１２        無軸スクリュー羽根
１４        ケーシング
１６        紛体投入部
１８        紛体排出部
２０        駆動部
【図１】
2015221724.tif 000004